(57)【要約】【課題】デザインの制約を防ぎながら剛性の高い嵌合構造を得る。【解決手段】正面側キャビネット３の第１外周側壁３ａの内側に間隔を空けて設けた第１内側突条１０を結合時に背面側キャビネット４の第２外周側壁４ａよりも内側に当接又は近接させる。背面側キャビネット４の第２外周側壁４ａの内側に間隔を空けて設けた第２内側突条１１を結合時に正面側キャビネット３の第１外周側壁３ａよりも内側に当接又は近接させる。第１内側突条１０に設けた第１係合部１０ａと第２内側突条１１に設けた第２係合部１１ａとを係合させる。【選択図】図１
2015130556.tif 000002
【特許請求の範囲】
【請求項１】
互いに結合して内部に収容空間を形成する第１キャビネット及び第２キャビネットを備えた電子機器において、
上記第１キャビネットの外周に形成された第１外周側壁と、
上記第２キャビネットの外周に形成され、上記第１外周側壁に当接する第２外周側壁と、
上記第１キャビネットの第１外周側壁の内側に間隔を空けて設けられ、結合時に上記第２キャビネットの第２外周側壁よりも内側に当接又は近接する第１内側突条と、
上記第２キャビネットの第２外周側壁の内側に間隔を空けて設けられ、結合時に上記第１キャビネットの第１外周側壁よりも内側に当接又は近接する第２内側突条と、
上記第１内側突条に設けた第１係合部と、
上記第２内側突条に設けられ、上記第１係合部に係合する第２係合部とを備えている
ことを特徴とする電子機器。
【請求項２】
請求項１に記載の電子機器において、
上記第１外周側壁及び上記第２外周側壁と上記第１内側突条及び上記第２内側突条との間には、上記第１キャビネットと上記第２キャビネットとの間を封止する防水パッキンが連続して設けられている
ことを特徴とする電子機器。
【請求項３】
請求項２に記載の電子機器において、
上記第１キャビネットと上記第２キャビネットとのいずれか一方における上記第１外周側壁及び上記第２外周側壁の内側には、上記第１キャビネットと上記第２キャビネットとを結合するためのビスを締結するボス部が設けられ、上記第１キャビネットと上記第２キャビネットとの他方には、連続した突条が設けられている
ことを特徴とする電子機器。
【請求項４】
請求項３に記載の電子機器において、
上記連続した突条は、上記防水パッキンが嵌合するパッキン用溝部の壁部を構成している
ことを特徴とする電子機器。
【請求項５】
請求項１から４までのいずれか１つに記載の電子機器において、
上記第１内側突条と上記第２内側突条とのうち、剛性の低い側は、剛性の高い側の上記第１キャビネット又は上記第２キャビネットの壁部に近接するように構成されている
ことを特徴とする電子機器。
【発明の詳細な説明】
【技術分野】
【０００１】
本発明は、互いに結合して内部に収容空間を形成する第１キャビネット及び第２キャビネットを備えた電子機器に関し、特にその剛性構造に関するものである。
【背景技術】
【０００２】
従来より、電子ユニットを内蔵するため、フロントパネルとリアキャビネットの２つの筐体を嵌合させることにより箱状に形成するとともに、フロントパネルとリアキャビネットの少なくとも一方に、他方の筐体の外周側壁の内側で、かつ、外周側壁に近接した位置に、フロントパネルとリアキャビネットで形成された内部空間の高さと同等もしくは近似した高さの突起を設けた電子機器は知られている（例えば、特許文献１参照）。この突起により、筐体の薄肉軽量化を達成しつつ、フロントパネル又はリアキャビネットの外周部の変形による、フロントパネルとリアキャビネットの嵌合部が息をする、又は異音がするという現象の発生を防止している。
【先行技術文献】
【特許文献】
【０００３】
【特許文献１】特開２００５−３３２１１１号公報
【発明の概要】
【発明が解決しようとする課題】
【０００４】
しかしながら、近年更なる小型化及び薄型化が追求され、特許文献１のような突起を連続して設けられない場合がある。そうすると、突起の内部分の剛性が低下してしまうという問題がある。
【０００５】
また、キャビネット同士を外周側壁に設けた爪で嵌合する場合、この爪を設けるスペースのために電子機器の厚さが厚くなり、デザイン的にも制約が生じるという問題がある。
【０００６】
本発明は、かかる点に鑑みてなされたものであり、その目的とするところは、デザインの制約を防ぎながら剛性の高い嵌合構造を得ることにある。
【課題を解決するための手段】
【０００７】
上記の目的を達成するために、この発明では、互いに当接する外周側壁よりも内側に変形を防止するための突条を設けた。
【０００８】
具体的には、本発明では、互いに結合して内部に収容空間を形成する第１キャビネット及び第２キャビネットを備えた電子機器を前提とし、
上記電子機器は、
上記第１キャビネットの外周に形成された第１外周側壁と、
上記第２キャビネットの外周に形成され、上記第１外周側壁に当接する第２外周側壁と、
上記第１キャビネットの第１外周側壁の内側に間隔を空けて設けられ、結合時に上記第２キャビネットの第２外周側壁よりも内側に当接又は近接する第１内側突条と、
上記第２キャビネットの第２外周側壁の内側に間隔を空けて設けられ、結合時に上記第１キャビネットの第１外周側壁よりも内側に当接又は近接する第２内側突条と、
上記第１内側突条に設けた第１係合部と、
上記第２内側突条に設けられ、上記第１係合部に係合する第２係合部とを備えている。
【０００９】
上記の構成によると、第１及び第２キャビネットに外側から力が加わっても、第１内側突条が第２キャビネットの第２外周側壁よりも内側に当接し、第２内側突条が第１キャビネットの第１外周側壁よりも内側に当接するので、第１及び第２キャビネットがそれ以上撓んで変形することはない。また、第１及び第２内側突条に第１及び第２係合部をそれぞれ設けたので、外周側壁には係合爪等を設けなくても結合強度が確保され、そのことによるデザインの制約が生じない。ここで、「当接又は近接する」とは、結合時にすでに当接してもよく、結合時には若干隙間を保った近接状態で、荷重が加わったときに当接してもよいことを意味する。
【発明の効果】
【００１０】
以上説明したように、本発明によれば、第１キャビネットの第１外周側壁の内側に間隔を空けて設けた第１内側突条を結合時に第２キャビネットの第２外周側壁よりも内側に当接又は近接させ、第２キャビネットの第２外周側壁の内側に間隔を空けて設けた第２内側突条を結合時に第１キャビネットの第１外周側壁よりも内側に当接又は近接させると共に、第１係合部と第２係合部とを係合させるようにしたことにより、デザインの制約を防ぎながら剛性の高い嵌合構造を得ることができる。
【図面の簡単な説明】
【００１１】
【図１】図２（ｂ）のＩ−Ｉ線拡大断面図である。
【図２】本発明の実施形態に係る携帯電話機を示し、（ａ）が斜視図で、（ｂ）が正面図である。
【図３】携帯電話機の分解斜視図である。
【図４】正面側キャビネット及びその一部を拡大して示す斜視図である。
【図５】図４のＶ部を拡大して示す斜視図である。
【図６】（ａ）が背面側キャビネットの正面図であり、（ｂ）が（ａ）のVIb部拡大斜視図である。
【図７】実施形態の変形例に係る図１相当図である。
【図８】実施形態の他の変形例に係る図１相当図である。
【発明を実施するための形態】
【００１２】
以下、本発明の実施形態を図面に基づいて説明する。
【００１３】
図２及び図３は本発明の実施形態の電子機器としての携帯電話機１（スマートフォン）を示し、この携帯電話機１は、表面側に表示部２を収容する第１キャビネットとしての正面側キャビネット３と、この正面側キャビネット３に結合して内部に収容空間を形成する第２キャビネットとしての背面側キャビネット４を備えている。例えば、この背面側キャビネット４の背面がリアカバー５で覆われ、上記収容空間には、メイン基板６とバッテリ７とが設けられている。例えば背面側キャビネット４の背面側には、防水シート８が貼り付けられて防水されており、正面側キャビネット３、背面側キャビネット４及びリアカバー５は、樹脂成形品よりなる。
【００１４】
図１及び図４に示すように、正面側キャビネット３の外周背面側には、矩形枠状にほぼ連続して第１外周側壁３ａが立設されている。同様に、図１及び図６に示すように、背面側キャビネット４の外周正面側には、第１外周側壁３ａに当接する第２外周側壁４ａが矩形枠状にほぼ連続して設けられている。本実施形態では、第１外周側壁３ａと第２外周側壁４ａとの間で爪嵌合などの係合構造は設けられていない。
【００１５】
そして、図１及び図４に示すように、正面側キャビネット３の第１外周側壁３ａの内側には、第１外周側壁３ａと間隔を空けて上下に直線状に延びる第１内側突条１０が設けられている。第１内側突条１０の幅方向内側には、例えば鉤状の第１係合部１０ａが突設されている。正面側キャビネット３には、例えばステンレス鋼板、マグネシウム合金成形品などの薄板状の金属製フレーム３ｂがインサート成形されている。図４及び図５に示すように、上下で一部が分離した第１内側突条１０の間には、ビス５０（図３に一部のみ示す）を締結するための固定用ボス部３ｃが上下に間隔を空けて配置されている。バッテリ７は、周囲に比べて比較的厚さの厚い、矩形枠状のバッテリ周壁３ｄに囲まれた状態で収容されるようになっている。
【００１６】
一方、図１及び図６に示すように、背面側キャビネット４の第２外周側壁４ａの内側には、第２外周側壁４ａと間隔を空けて上下に直線状に延びる第２内側突条１１が設けられている。この第２内側突条１１には、第１係合部１０ａに係合する例えば凹状の第２係合部１１ａが設けられている。上下で一部が分離した第２内側突条１１の間には、上記固定用ボス部３ｃが当接すると共に、ビス５０を挿通する貫通孔を有するボス受け部４ｂが上下に間隔を空けて配置されている。
【００１７】
そして、図３に示すように、ボス受け部４ｂに背面側からビス５０を挿通して固定用ボス部３ｃに締結して正面側キャビネット３と背面側キャビネット４とを結合すると、第１内側突条１０が背面側キャビネット４の第２外周側壁４ａよりも内側に当接又は近接し、第２内側突条１１が正面側キャビネット３の第１外周側壁３ａよりも内側に当接又は近接するように構成されている。つまり、正面側キャビネット３と背面側キャビネット４との結合状態で、第１内側突条１０の一部が背面側キャビネット４に当接し、第２内側突条１１の一部が正面側キャビネット３に当接していてもよいし、図１に示すように若干隙間を空けておき、荷重が加わったときに当接させるようにしてもよい。
【００１８】
また、当接し合う第１外周側壁３ａ及び第２外周側壁４ａと、第１内側突条１０及び第２内側突条１１との間には、正面側キャビネット３と背面側キャビネット４との間を封止する防水パッキン９が連続して設けられている。防水パッキン９は、図６（ｂ）に示すように、背面側キャビネット４にほぼ連続して設けたパッキン用溝部４ｃに嵌合されて挟み込まれるようになっている。
【００１９】
図６に拡大して示すように、背面側キャビネット４におけるボス受け部４ｂの周辺では、第２内側突条１１がこの連続した突条としてのパッキン用溝部４ｃの壁部に連続している。
【００２０】
以上のように構成することで、本実施形態では、正面側キャビネット３及び背面側キャビネット４に外側から力が加わっても、第１内側突条１０の先端が背面側キャビネット４の第２外周側壁４ａよりも内側に当接し、第２内側突条１１の先端が正面側キャビネット３の第１外周側壁３ａよりも内側に当接するので、正面側キャビネット３及び背面側キャビネット４がそれ以上撓んで変形することはない。
【００２１】
また、第１係合部１０ａと第２係合部１１ａとをそれぞれ設け、また、防水パッキン９による連続した密閉構造が第１外周側壁３ａと第２外周側壁４ａとの内側に形成されているので、第１外周側壁３ａと第２外周側壁４ａとで密閉を保つために爪嵌合を行わなくても、高い防水効果と強度とを保てる。このため、第１外周側壁３ａと第２外周側壁４ａとには係合爪等を設ける必要がなく、そのことによるデザインの制約が生じない。
【００２２】
また、固定用ボス部３ｃ及びボス受け部４ｂを設けたために第１内側突条１０及び第２内側突条１１を連続させて設けることができないような場合でも、固定用ボス部３ｃが設けられていない側に連続した突条としてパッキン用溝部４ｃの壁部が設けられているので、固定用ボス部３ｃ周辺の剛性を保つことができる。特に防水パッキン９の周辺は、防水性を保つために通常剛性が高くなっているので、その効果は大きい。そして、第１内側突条１０及び第２内側突条１１の少なくとも一方が、上下に連続して設けられているのが望ましい。
【００２３】
したがって、本実施形態に係る携帯電話機１によると、デザインの制約を防ぎながら剛性の高い嵌合構造を得ることができる。
【００２４】
−変形例−
図７及び図８は本発明の実施形態の変形例を示し、弱い側の内側突条に相手側の剛性の高い部分を当接させる点で上記実施形態と異なる。なお、本変形例では、図１〜図６と同じ部分については同じ符号を付してその詳細な説明は省略する。
【００２５】
具体的には、図７に示すように、第２内側突条１１に比べて厚さが薄くて剛性の低い第１内側突条１０を、すぐ近くにほぼ隙間なく配置された剛性の高い側の背面側キャビネット４の防水パッキン９周辺の壁部に近接している。ここで、「近接している」は、図７に示すように、一部が当接していてもよく、若干隙間を空けておき力が加わったときのみ当接するようにしてもよいことを意味する。この構成によると、剛性の弱い第１内側突条１０が撓もうとしたときに、防水パッキン９周辺の壁部に当接してそれ以上の変形が防止されるので、ひねり等の外力に対しても更に剛性が確保される。
【００２６】
また、図８に示すように、厚さが薄く剛性の低い第２内側突条１１をすぐ近くにほぼ隙間なく配置された、バッテリ７を囲むバッテリ周壁３ｄに近接している。ここでも、「近接している」は、図８に示すように、一部が当接していてもよく、若干隙間を空けておき力が加わったときのみ当接するようにしてもよいことを意味する。この構成によると、剛性の弱い第２内側突条１１が撓もうとしたときに、剛性の高いバッテリ周壁３ｄに当接してそれ以上の変形が防止されるので、ひねり等の外力に対しても更に剛性が確保される。
【００２７】
（その他の実施形態）
本発明は、上記実施形態について、以下のような構成としてもよい。
【００２８】
すなわち、上記実施形態では、電子機器は、携帯電話機１としたが、タブレット端末、ＰＨＳ（Personal Handy-phone System）、ＰＤＡ(Personal Digital Assistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３０】
１      携帯電話機（電子機器）
２      表示部
３      正面側キャビネット（第１キャビネット）
３ａ    第１外周側壁
３ｂ    金属製フレーム
３ｃ    固定用ボス部
３ｄ    バッテリ周壁
４      背面側キャビネット（第２キャビネット）
４ａ    第２外周側壁
４ｂ    ボス受け部
４ｃ    パッキン用溝部
５      リアカバー
６      メイン基板
７      バッテリ
８      防水シート
９      防水パッキン
１０      第１内側突条
１０ａ    第１係合部
１１      第２内側突条
１１ａ    第２係合部
５０      ビス
【図１】
2015130556.tif 000003
【図２】
2015130556.tif 000004
【図３】
2015130556.tif 000005
【図４】
2015130556.tif 000006
【図５】
2015130556.tif 000007
【図６】
2015130556.tif 000008
【図７】
2015130556.tif 000009
【図８】
2015130556.tif 000010